(57)【要約】      （修正有）【課題】肌触りがよく、安全性の高い簡易着脱式ネクタイの止め具を提供する。【解決手段】予めネクタイ形結び目を形成したネクタイにおける結び目内に、止め具を設け、この止め具を介してネクタイの結び目を、ワイシャツの襟元に着脱可能に固定するようにした簡易着脱式ネクタイの止め具において、止め具１は、結び目内に埋設される固定片７と、固定片７の上部位置に回動可能に軸支されるとともに、結び目の背面上縁に露出されて固定片７の背面に離接可能に対向し、かつ離間位置および接近位置の何れかを安定点としてそのバネ弾性を反転するようにした狭持片８と、固定片７の背面下部に一体に突設され、かつ結び目の背面を貫通して前記狭持片８の回動端に対向する軸状の受け部材１２と、受け部材１２の基部外周に嵌合されて固定片７を結び目内に固定する止めリング４とを備えている。【選択図】図３
0003146893.tif 000002
【実用新案登録請求の範囲】
【請求項１】
予めネクタイ形結び目を形成したネクタイにおける結び目内に、止め具を設け、この止め具を介してネクタイの結び目を、ワイシャツの襟元に着脱可能に固定するようにした簡易着脱式ネクタイの止め具において、
前記止め具（１）は、結び目内に埋設される固定片（７）と、固定片（７）の上部位置に回動可能に軸支されるとともに、結び目の背面上縁に露出されて固定片（７）の背面に離接可能に対向し、かつ離間位置および接近位置の何れかを安定点としてそのバネ弾性を反転するようにした狭持片（８）と、固定片（７）の背面下部に一体に突設され、かつ結び目の背面を貫通して前記狭持片（８）の回動端に対向する軸状の受け部材（１２）と、受け部材（１２）の基部外周に嵌合されて固定片（７）を結び目（６）内に固定する止めリング（４）とを備え、
前記止め具（１）を構成する固定片（７）、狭持片（８）および止めリング（４）を合成樹脂成形体で構成したことを特徴とする簡易着脱式ネクタイの止め具。
【請求項２】
前記受け部材（１２）の基部外周には、前記止めリング（４）を選択的に嵌合保持する複数の係合溝部（１２ａ）が軸方向に間隔をおいて形成されていることを特徴とする請求項１記載の簡易着脱式ネクタイの止め具。
【請求項３】
前記固定片（７）の背面には、結び目（６）の形状を造形するための弾性体からなる形状保持パッド（３）を添設し、該形状保持パッド（３）は、前記固定片（７）の背面に添設される取付片（１７）の両側に翼形片（１８）が一体化されて形成され、取付片（１７）に形成された挿通孔（２０）を前記受け部材（１２）に挿通保持させるとともに、両側の翼形片（１８）を前記ネクタイ（５）における結び目（６）内に挿入させるようにしたことを特徴とする請求項１または２記載の簡易着脱式ネクタイの止め具。
【請求項４】
前記固定片（７）の背面には、結び目（４１）の形状を造形するための弾性体からなる形状保持パッド（３０）を添設し、該形状保持パッド（３０）は、縦長板状の部材により形成され、その下部に形成した挿通孔（３２）を前記受け部材（１２）に挿通保持させるとともに、その中間部に形成した窓孔（３１）から前記狭持片（８）を突出させ、その先端部を固定片（７）の前面及び下面を回って形状保持パッド（３０）の下端部に形成した係止孔（３３）に挿入係止させるようにしたことを特徴とする請求項１または２記載の簡易着脱式ネクタイの止め具。
【考案の詳細な説明】
【技術分野】
【０００１】
本考案は、簡易着脱式ネクタイをワンタッチでワイシャツの襟元に固定するための止め具の改良技術に関する。
【背景技術】
【０００２】
簡易着脱式ネクタイは、予め上端部にネクタイ形の結び目を形成したネクタイにおける結び目内に、着脱可能な止め具を一体的に設け、この止め具を、ワイシャツの襟元に固定することにより、恰もネクタイの裏帯を襟裏に回してネクタイを襟元で結んだ通常のネクタイのように造形できるようにしたもので、ネクタイを結ぶことが不慣れだったり、面倒な人や、ネクタイにより首廻りを締め付けることが苦手な人、あるいは着替えを迅速に行うことが必要な場合に好適な小物服飾品である。
【０００３】
止め具の一例としては、例えば下記特許文献１に記載の構造がある。このものは、予め整形したネクタイに止め金具を取付け、ワイシャツの襟元に押さえ金具を受入金具で固定するものであり、止め金具は台の先端に押さえ金具を一体に形成し、押さえ金具を湾曲に絞り、バネの役割をした状態にして受け台に押さえ金具が強く挟むようにしたものである。
【特許文献１】実用新案登録第３０２５５０４号公報
【考案の開示】
【考案が解決しようとする課題】
【０００４】
しかしながら、従来のこの種止め具は、金属製であり、かつ着用者の喉元に接触するものであるため、装着時にひやりとした冷感を感じるなど肌触りが悪く、その逆に着用者の発汗によって錆が生じ、耐久性に乏しく、また、直接皮膚に接触するものであるだけに着用者が金属アレルギーの場合には、皮膚炎など肌荒れの原因となる。さらに、着用者の喉に直接接触するものであるため、安全性などの点においても各種課題があった。
【０００５】
そこで本考案は、以上の課題を解決するものであり、その目的とするところは、肌触りがよく、発汗などによる止め具自体の劣化や、皮膚炎などのアレルギー現象を防止するとともに、安全性の高い、さらには、簡易着脱式ネクタイに使用して体裁が良い止め具を提供するものである。
【課題を解決するための手段】
【０００６】
前記目的を達成するため、本考案は、図の実施の形態にも示すように、予めネクタイ形結び目を形成したネクタイにおける結び目内に、止め具を設け、この止め具を介してネクタイの結び目を、ワイシャツの襟元に着脱可能に固定するようにした簡易着脱式ネクタイの止め具において、前記止め具１は、結び目６（４１）内に埋設される固定片７と、固定片７の上部位置に回動可能に軸支されるとともに、結び目６（４１）の背面上縁に露出されて固定片７の背面に離接可能に対向し、かつ離間位置および接近位置の何れかを安定点としてそのバネ弾性を反転するようにした狭持片８と、固定片７の背面下部に一体に突設され、かつ結び目６（４１）の背面を貫通して前記狭持片８の回動端に対向する軸状の受け部材１２と、受け部材１２の基部外周に嵌合されて固定片７を結び目６内に固定する止めリング４とを備えている。
【０００７】
請求項１の考案では、前記止め具１を構成する固定片７、狭持片８および止めリング４を合成樹脂成形体で構成したことを特徴としている。
【０００８】
請求項２の考案では、前記受け部材１２の基部外周には、前記止めリング４を選択的に嵌合保持する複数の係合溝部１２ａが軸方向に間隔をおいて形成されていることを特徴としている。
【０００９】
請求項３の考案では、図３に示すように、前記固定片７の背面には、結び目６の形状を造形するための弾性体からなる形状保持パッド３を添設し、該形状保持パッド３は、前記固定片７の背面に添設される取付片１７の両側に翼形片１８が一体化されて形成され、取付片１７に形成された挿通孔２０を前記受け部材１２に挿通保持させるとともに、両側の翼形片１８を前記ネクタイ５における結び目６内に挿入させるようにしたことを特徴とする。
【００１０】
止め具本体２に上記のような形状保持パッド３を添設させることにより、図４に示すような棒タイ形ネクタイ５の三角形状の結び目６の外形を良好に保持させることができ、体裁が良い。
【００１１】
請求項４の考案では、図５に示すように、前記固定片７の背面には、結び目４１の形状を造形するための弾性体からなる形状保持パッド３０を添設し、該形状保持パッド３０は、縦長板状の部材により形成され、その下部に形成した挿通孔３２を前記受け部材１２に挿通保持させるとともに、その中間部に形成した窓孔３１から前記狭持片８を突出させ、その先端部を固定片７の前面及び下面を回って形状保持パッド３０の下端部に形成した係止孔３３に挿入係止させるようにしたことを特徴とする。
【００１２】
止め具本体２に上記のような形状保持パッド３０を添設させることにより、図６に示すような蝶ネクタイ４０の結び目４１の外形を良好に保持させることができ、体裁が良い。
【００１３】
上記止め具を設け簡易着脱式ネクタイは、上記止め具の前記固定片７を、ネクタイにおける結び目内に挿入させるとともに、止め具の前記挟持片８を結び目の上面に突出させ、さらに、止め具の前記受け部材１２を結び目の背面に突出させ、受け部材１２の結び目の背面に突出させた基部の前記係合溝部１２ａに前記止めリング４を嵌合保持させるようにする。
【考案の効果】
【００１４】
本考案では、止め具１を構成する固定片７、狭持片８および止めリング４を合成樹脂成形体で構成したので、ネクタイの装着状態においては、狭持片は着用者の喉元に直接接触するが、従来のような金属製の止め具に比べて、肌触りがよく、また着用者の発汗などによりさびることはなく、皮膚炎や肌荒れなどの金属アレルギーなどのおそれがない。さらには喉元に強く押し付けられても樹脂弾性などにより皮膚が傷つくこともなく、安全性が高い。
【００１５】
請求項２の考案では、止め具を設けるネクタイの結び目の厚さに応じて、止めリングの複数の係合溝部に対する押し込み嵌合位置を選択して調整でき、結び目内で止め具が移動したり、止め具の装着が不安定になったりする不具合が防止される。
【００１６】
また、請求項３又は４の考案では、形状保持パッドにより、結び目の立体造形性を得ることができ、通常のネクタイのように、装着時に結び目を作る場合の形状の不確定性がない。
【００１７】
さらに本考案では、止め具棒タイ形ネクタイにも蝶ネクタイにもその部品を共用化して用いることができる。
【考案を実施するための最良の形態】
【００１８】
図１〜図４は、本考案を棒タイ形ネクタイに適用した場合の第１の実施形態を示し、図１は止め具本体を示す正面図、側面図および背面図であり、図２は図１におけるＢ−Ｂ線断面図、図３（ａ）、（ｂ）は同止め具本体と形状保持パッド並びに止めリングとの組合せを示す分解斜視図および組立状態斜視図、図４は同止め具をネクタイの結び目に組み付けた状態を背面から示す斜視図である。
【００１９】
各図において、止め具１は、止め具本体２と、止め具本体２の背面に固定される形状保持パッド３と、止め具本体２並びに形状保持パッドをネクタイ５の上端に形成された結び目６（図３参照）の内部に固定するための止めリング４を備えており、これらの部材は、合成樹脂成形体から構成されている。
【００２０】
止め具本体２は、主として図１に示すように、背面側が垂直で、前面側が上部側に向けて漸次くさび状に厚みを増す縦長扁平形状の固定片７と、固定片７の上部に回動可能に軸支され、かつその後部を固定片７の背面下部まで延設した側面視略逆Ｌ字形の狭持片８を備えている。
【００２１】
固定片７の前部側および頂部にかけてその幅方向中央には、狭持片８の上部先端が挿通される溝９が形成されているとともに、溝９の両側には軸受け溝１０が形成され、この軸受け溝１０には狭持片８の上部先端部両側に突設された軸部１１が回動可能かつ抜止め状態に軸支されている。
【００２２】
固定片７の背面下部中央には、狭持片８の下端が離接可能に接する軸状の受け部材１２が一体に突設されている。この受け部材１２の固定片７との連接位置基部の外周には、受け部材１２の先端より大径であって、前記止めリング４を抜止め状態に嵌合する複数条の係合溝部１２ａが軸方向に間隔を置いて形成されている。止めリング４は、内周に係合片を有するリング（Ｅ−リング）により形成されている。
【００２３】
また、固定片７の背面上部中央には前記溝幅に等しい幅の係合部１４が突設されている。この係合部１４の内側には図２に示すように前記狭持片８の軸部１１廻りに一体化された回動ブロック１５の後端に設けたストッパ爪１６が摺接しており、図２（ａ）に示すように、狭持片８の下部が受け部材１２に接している第１の安定状態から、指により、狭持片８を図中反時計方向に回動させると、回動ブロック１５の後端上部が溝９の上部側のＲ面角部９ａに当接し、これを弾性歪曲させつつ回動することにより、図２（ｂ）に示すように、適度なバネ弾性による抵抗感を持たせつつ角部９ａを乗り越え、かつストッパ爪１６が係合部１４の上部内面に当接するとともに、回動ブロック１５後端下部が係合部１４の内側に当接することによって、狭持片８の下部が受け部材１２より大きく離間した第２の安定状態を得るようになっている。
【００２４】
図３（ａ）において、形状保持パッド３は、適度な剛性と弾性に富む樹脂素材から構成されるもので、固定片７の背面に添設される取付片１７と、取付片１７の両側に一体化された１対の翼形片１８により構成されている。取付片１７の前面上部側には、前記係合部１４を包囲する凹溝１９が形成され、また下部には前記受け部材１２を挿通する挿通孔２０が形成されている。各翼形片１８は、結び目６の外形の立体的造形性を確保するものであり、結び目６の形状に応じた後退翼形状となっている。
【００２５】
さらに、止めリング４は、受け部材１２の適宜な係合溝部１２ａに嵌合されて止め具本体２と、形状保持パッド３を結び目６の裏面側に共締するものである。なお、図３（ｂ）においては、受け部材１２に直接止めリング４を嵌め込んだ状態を示しているが、実際には、止め具本体２と形状保持パッド３とを組み合わせた状態で、ネクタイ５の表帯５ａにこれに連続する裏帯５ｂを折り込んで図４のごとく形成された結び目６内に装着するとともに、結び目６の上縁部裏面側に狭持片８を露出させ、さらには受け部材１２を結び目６の裏面側を貫通して突出させ、その突出端基部の係合溝部１２ａに止めリング４を嵌合することにより、結び目６内に止め具１を一体化したネクタイ５が完成し、結び目６は、通常のネクタイと同様に造形され、解かれることもない。
【００２６】
なお、図４においては、ネクタイ５の下部側を省略しているが、通常のネクタイと同じ棒タイ形ネクタイ形状となっていることは勿論である。
【００２７】
従って、以上のネクタイ５を装着するには、ワイシャツの襟元の第１ボタンを嵌め付けた状態で、図２（ｂ），および図４に示すように、予め狭持片８を受け部材１２から離間させておき、狭持片８を着用者の喉と襟元との間に差し込み、次いで狭持片８を矢印のごとく回動することにより襟元を所定の狭持力で狭着し、これにより恰もネクタイ５を締めたような外観を得ることができる。またネクタイ５の取り外し時には、結び目６をもって前部側に引っ張れば、狭持片８は受け部材から離間し、簡単にネクタイ５を取り外すことができる。
【００２８】
ネクタイ５の装着状態においては、狭持片８は着用者の喉元に直接接触するが、狭持片８は合成樹脂製であり、肌触りがよく、着用者の発汗などによりさびることはなく、かつ金属アレルギーなどによる皮膚炎や肌荒れなどのおそれがない。さらには喉元に強く押し付けられても樹脂弾性などにより皮膚が傷つくこともなく、安全性が高いものとなる。
【００２９】
次に、図５，６は本考案を蝶ネクタイに適用した場合の第２の実施の形態を示すものである。なお、各図において、前記第１の実施の形態と同一部材には同一符号を付し、異なる部材のみ異なる符号を用いて説明する。
【００３０】
図５において、止め具本体２および止めリング４は前記第１実施形態と同一形状の合成樹脂成形体からなるものである。これに対し、形状保持パッド３０は、弾性を有する合成樹脂薄板、あるいはアルミ薄板などのプレス打ち抜き成形体からなる上部先細り形状の縦長板材であり、その上部側には図５（ａ）に示すように、狭持片８および係合部１４との干渉を避けるための縦長矩形状の窓孔３１が形成され、その下部にはボス１２の挿通用の挿通孔３２および最下部には、それ自体の先細り状先端部３０ａを挿通固定するための横長矩形状の係止孔３３を形成したものである。図５（ｂ）に示すように、止め具本体２の背面に添設した後、その先端部３０ａを止め具本体２の前面側に湾曲状に折り曲げ、その折り曲げ先端部３０ａを係止孔３３に差し込み、この差し込み端を折り曲げることにより、湾曲状態を保持したものである。このように、形状保持パッド３０を単に湾曲形状として止め具本体２に組み付けるのは、図６に示すように、蝶ネクタイ４０の結び目４１の上下方向における中央部の前面側にふくらみを持たせて造形するために用いられる。形状保持パッド３０は、蝶ネクタイ４０の結び目４１内部に挿入され、使用状態において、人体に触れることがないため、アルミ薄板などの金属板により形成してもさしつかえない。
【００３１】
またその組付けは、第１実施形態と同じく、蝶ネクタイ４０の本体部４０ａおよびフリル４０ｂを左右に突出させた結び目４１内に、止め具本体２および形状保持パッド３０を組み付け、狭持片８を結び目４１の内側部上縁から引き出すとともに、受け部材１２を結び目４１の後部に突出させ、受け部材１２の係合溝部１２ａに止めリング４を嵌合することによって蝶ネクタイ４０が完成する。
【００３２】
以上における蝶ネクタイ４０の着脱手順について、図６を用いて説明する。まず図６（ａ）に矢印方向示すように、予め、狭持片８を回動して受け部材１２から離間させておき、次いで図６（ｂ）に示すように、狭持片８を着用者の喉部と、ワイシャツ５０の左右の襟５１の襟元に差し込み、狭持片８を回動して受け部材１２との間にワイシャツ５０の襟元を狭持することによって、図６（ｃ）に示すように蝶ネクタイ４０の着用状態を維持できる。またこの状態から蝶ネクタイ４０を外すには、結び目４１をもって前方に引っ張れば、その力により、狭持片８は受け部材１２から離間し、簡単に取り外すことができる。
【００３３】
なお、以上の実施形態では、蝶ネクタイ４０として、結び目４１の左右に突出する本体部４０ａの下部に同じく左右に突出するフリル４０ｂを設けたものを用いたが、本体部４０ａのみの蝶ネクタイ４０にも適用できることは勿論である。
【図面の簡単な説明】
【００３４】
【図１】本考案の第１実施形態における止め具本体の正面図、側面図および背面図である。
【図２】（ａ），（ｂ）は図１のＢ−Ｂ線における狭持片の離接状態を示す断面図である。
【図３】（ａ），（ｂ）は止め具本体と形状保持パッド並びに止めリングとの取付関係を示す分解斜視図および組立状態を示す斜視図である。
【図４】同止め具を棒タイ形ネクタイに取り付けた状態を背面から見た斜視図である。
【図５】（ａ），（ｂ）は本考案の第２実施形態における止め具の分解斜視図および組立状態を示す斜視図である。
【図６】（ａ）〜（ｄ）は同止め具を用いた蝶ネクタイの着脱手順を示す説明図である。
【符号の説明】
【００３５】
１  止め具
２  止め具本体
３  形状保持パッド
４  止めリング
５  棒タイ形ネクタイ
５ａ  表帯
５ｂ  裏帯
６  結び目
７  固定片
８  狭持片
９  溝
９ａ  Ｒ面角部
１０  軸受け溝
１１  軸部
１２  受け部材
１２ａ  係合溝部
１４  係合部
１５  回動ブロック
１６  ストッパ爪
１７  取付片
１８  翼形片
１９  凹溝
２０  挿通孔
３０  形状保持パッド
３０ａ  先細り状先端部
３１  窓孔
３２  挿通孔
３３  係止孔
４０  蝶ネクタイ
４０ａ  蝶ネクタイ本体
４０ｂ  フリル
４１  結び目
５０  ワイシャツ
５１  襟
【図１】
0003146893.tif 000003
【図２】
0003146893.tif 000004
【図３】
0003146893.tif 000005
【図４】
0003146893.tif 000006
【図５】
0003146893.tif 000007
【図６】
0003146893.tif 000008